(57)【要約】  【課題】変圧器の二次側リード線などを保護するために用いられる電線保護用パイプを電柱に取り付ける支持金具において、電柱面に取り付けた略コ字型のベース金具と、このベース金具に組み合わせられるＵ字状ボルトと、このＵ字状ボルトの自由端に両端部を挿通して締付ナットで押さえられる押え金具とからなり、Ｕ字状ボルトがベース金具に対して略直角になるように自立可能とすることにより作業性が改良された電線保護用パイプの支持金具を提供する。  【解決手段】Ｕ字状ボルトの中間部を挿通するベース金具の透孔を、Ｕ字状ボルトの挿通部と、この挿通部に連続して形成されたＵ字状ボルトの直径よりも小さい小径部とによって構成し、Ｕ字状ボルトの中央部において、Ｕ字状ボルトをベース金具に対して略直角状態で小径部に嵌入可能とする切り欠き面を形成した。【選択図】  図１
2006246606.tif 000002
【特許請求の範囲】
【請求項１】
開口端部を電柱面に沿わせて立設状態に取り付けられる略コ字型のベース金具と、このベース金具の透孔に中間部を挿通するＵ字状ボルトと、該Ｕ字状ボルトの自由端に両端部を挿通して締付ナットで押さえられる押え金具とからなり、該押え金具とベース金具の頂部において保護用パイプを挟持可能とした電線保護用パイプの支持金具において、ベース金具の透孔がＵ字状ボルトの挿通部と、この挿通部に連続して形成されたＵ字状ボルトの直径よりも小さい小径部とからなり、Ｕ字状ボルトの中央部において、Ｕ字状ボルトをベース金具に対して略直角状態で小径部に嵌入可能とする切り欠き面を形成し、小径部においてＵ字状ボルトを非回動状態に保持可能とした電線保護用パイプの支持金具。
【請求項２】
Ｕ字状ボルトの中央部に形成する切り欠き面及びこの切り欠き面が当接する小径部の側壁は略垂直状態とし、小径部の他方側壁は小径部をテーパー状とする傾斜状態に形成してなる請求項１記載の電線保護用パイプの支持金具。
【請求項３】
Ｕ字状ボルトのねじ溝部と反対側の自由端を折り曲げ部とし、折り曲げ部よりやや中央部寄りの軸部において、周壁に打ち出し突部を形成した請求項１又は２記載の電線保護用パイプの支持金具。
【発明の詳細な説明】
【技術分野】
【０００１】
この発明は、電柱上において、低圧線からの引下線あるいは変圧器の二次側リード線などを保護するために用いられる電線保護用パイプを電柱に取り付けるための支持金具の改良に関するものである。
【背景技術】
【０００２】
従来このようなパイプＰを電柱に支持する場合、図８、図９に示すように、開口端部において電柱面に固定される金属帯１８をパイプ外周に鉢巻き状に巻き付け、この金属帯１８の両端部分をネジ止めして締め付ける方法が一般的であった。
【０００３】
保護しようとする引下線Ｌなどの電線は、電柱５によって接続される負荷が様々で、線数や線サイズもまちまちであるため、使用されるパイプサイズも様々である。ＪＩＳ Ｃ ８４３０ 硬質ビニル電線管では、外径基準寸法を１８〜８９mmまで９種類のサイズが規定されている。この中で、電線保護用として、主に用いられているサイズは、外径で４２mm、４８mm、６０mm、７６mmである。このために、支持金具は、４種類用意する必要があった。これは管理上煩わしく、また、各サイズごとに在庫を用意しなければならないという難点があった。
【０００４】
そこで、このような問題点を解消するため、使用されるパイプの全サイズを１種類の金具で、安定した状態で取り付けることができる支持金具が提供されている（特許文献１）。すなわち、図９に示す通り、電柱５に沿って配置される電線保護用パイプ１２を電柱５に固定する支持金具において、開口端部１ａを電柱面に沿わせて立設状態に取り付けられる略コ字型のベース金具１と、このベース金具１の透孔８に中間部を挿通するＵ字状ボルト２と、該Ｕ字状ボルト２の自由端に両端部を挿通して締付ナット４で押さえられる押え金具３とからなり、該押え金具３とベース金具１の頂部１ｂにおいて保護用パイプ１２を挟持可能としたもので、押え金具３は、両端部をＵ字状ボルト２の自由端に挿通して、締付ナット４で押えるものであるから、保護用パイプ１２の大きさに拘らず、単一の支持金具で各種サイズの保護用パイプを挟持できるようになっている。
【特許文献１】実公平７−２７７８５
【発明の開示】
【発明が解決しようとする課題】
【０００５】
上記の電線保護用パイプの支持金具は、使用されるパイプの全サイズを１種類の金具で、安定した状態で取り付けることができるという初期の目的を達成しているが、Ｕ字状ボルト２がベース金具１に対して回動自在であるため、保護用パイプ１２を取り付ける際、作業者がＵ字状ボルト２を水平状態、すなわちベース金具１に対して略直角になるように保持して保護用パイプを取り付けなければならず、作業性に難点があった。
【０００６】
そこで、本発明の目的とするところは、Ｕ字状ボルトが水平状態に自立可能な構成とし、作業性が改良された電線保護用パイプの支持金具提供するところにある。
【課題を解決するための手段】
【０００７】
上記目的を達成するため、本発明の電線保護用パイプの支持金具は次のように構成される。
【０００８】
すなわち、開口端部を電柱面に沿わせて立設状態に取り付けられる略コ字型のベース金具と、このベース金具の透孔に中間部を挿通するＵ字状ボルトと、該Ｕ字状ボルトの自由端に両端部を挿通して締付ナットで押さえられる押え金具とからなり、該押え金具とベース金具の頂部において保護用パイプを挟持可能とした電線保護用パイプの支持金具において、ベース金具の透孔がＵ字状ボルトの挿通部と、この挿通部に連続して形成されたＵ字状ボルトの直径よりも小さい小径部とからなり、Ｕ字状ボルトの中央部において、Ｕ字状ボルトをベース金具に対して略直角状態で小径部に嵌入可能とする切り欠き面を形成し、小径部においてＵ字状ボルトを非回動状態に保持可能とした電線保護用パイプの支持金具である。
【０００９】
上記切り欠き面及びこの切り欠き面が当接する小径部の側壁は略垂直状態に形成するが、小径部の他方側壁は小径部をテーパー状とする傾斜状態に形成しておけば、小径部およびＵ字状ボルトに形成する切り欠き面の寸法精度にばらつきがあっても、がたつきのない保持状態が得られる。
【００１０】
Ｕ字状ボルトに押え金具を取り付ける構成としては、従来例と同様に、Ｕ字状ボルトの両端部に締付ナットを螺合して押え金具を押える構成、あるいはＵ字状ボルトの一端部にのみ締付ナットを螺合し、他端部には抜け止め用の拡大頭部を形成した構成であっても良い。また、押え金具の抜け止め構成としては拡大頭部に代えて、Ｕ字状ボルトの一端部を折り曲げておく構成でも良い。押え金具の端部に形成されるＵ字状ボルトの挿通孔よりも大径の抜け止め用のキャップを折り曲げ端部に嵌着しておけばより確実に抜け落ちを防止できる。
【００１１】
電線保護用パイプは押え金具とベース金具の頂部において挟持されるが、押え金具の幅方向中央部を凹状に湾曲させておけば、保護用パイプに対する接触面が増加するので、挟持状態が安定するとともに、Ｕ字状ボルトの長さを短くすることができる。
【００１２】
前記Ｕ字状ボルトの折り曲げ部は、押え金具とベース金具の頂部において大径の保護用パイプを挟持する場合の押え金具の当り部の役目も果たすものである。
【００１３】
また、Ｕ字状ボルトの折り曲げ部よりやや中央部寄りの軸部おいて、周壁に打ち出し突部を形成しておけば、小径の保護用パイプを挟持する場合の押え金具の当り部とすることができる。このような打ち出し部を形成した場合、押え金具の端部に形成される前記Ｕ字状ボルトの挿通孔は、打ち出し部の突出方向と交叉する方向の長孔としておく。これにより、打ち出し部と長孔の位置関係によって押え金具は打ち出し突部を通過しあるいは打ち出し突部に当ることとなる。
【発明の効果】
【００１４】
この発明に係る電線保護用パイプの支持金具は、電柱にまずベース金具を立設し、このベース金具の透孔に中間部を挿通したＵ字状ボルトの自由端に押え金具の両端部を挿通して、締付ナットで押えるように構成し、保護用パイプを押え金具とベース金具の頂部において挟持する構成において、ベース金具の透孔をＵ字状ボルトの挿通部と、この挿通部に連続して形成されたＵ字状ボルトの直径よりも小さい小径部とによって構成し、一方、Ｕ字状ボルトの中央部において、Ｕ字状ボルトをベース金具に対して略直角状態で小径部に嵌入可能とする切り欠き面を形成することにより、Ｕ字状ボルトをベース金具の小径部に嵌入した場合、Ｕ字状ボルトが水平状態、すなわちベース金具に対し略直角状態で自立可能に保持されるようにしたので、作業者が保護用パイプとＵ字状ボルトを保持する必要性がなく、保護用パイプの取付時における作業性を向上し得たのである。
【００１５】
また、Ｕ字状ボルトの一端部に折り曲げ部を設けるとともに、折り曲げ部よりやや中央部寄りの軸部において、周壁に打ち出し突部を形成した構成においては、大径の保護用パイプの場合は折り曲げ部が押え金具の当り部となり、小径の保護用パイプの場合は打ち出し突部を当り部とすることができ、パイプの挟持状態が安定する。
【発明を実施するための最良の形態】
【００１６】
以下添付の図面に従って本発明に係る電線保護用パイプの支持金具の実施態様について説明する。
【００１７】
図１および図２は、この発明に係る支持金具の一実施例を示すもので、ベース金具１、Ｕ字状ボルト２、押え金具３および締付ナット４から構成されている。いずれも一般構造用圧延鋼材を使用し、溶融亜鉛メッキを施している。もちろんステンレス鋼を使用しても良い。ベース金具１は、図示の通り、略コ字型をしており、電柱５の外周面６に沿うように外側に湾曲させた開口端部１ａにおいて立設状態に取り付けられる。電柱に対する取付方法としては端縁部から切り込んで形成した取付溝７において鋼製の取付バンドやステンレスバンドあるいはステンレス線を用いて電柱５に緊縛状態で取り付けられる。
【００１８】
該ベース金具１の胴部には透孔８が形成され、Ｕ字状ボルト２の中間部を挿通することによって組み合わせ可能となっている。押え金具３は、図示の通り、中央部を凹状に湾曲し、両端部においてＵ字状ボルト２に挿通して組み合わせ可能としている。この押え金具３は、図３に示す通り、一端部にはＵ字状ボルト２を挿通可能な長孔９を有し、他端部にはＵ字状ボルト２のねじ溝部１０を幅方向から嵌入可能とするＵ字状の切欠き孔１１を有している。
【００１９】
したがって、ねじ溝部１０側から長孔９において押え金具３をＵ字状ボルト２に挿通した状態において、電線保護用パイプ１２を設置し、Ｕ字状の切欠き孔１１において押え金具３の他端部をねじ溝部１０に嵌入させ、ねじ溝部１０に締付ナット４を螺合して締め付ければ、図１に示す通り、電線保護用パイプ１２はベース金具１の頂部１ｂと押え金具３間で挟持され確実に保持される。この場合、押え金具３の中央部を凹状に湾曲しているため、パイプ１２に対する接触部が多く、安定した挟持状態が得られる。また、Ｕ字状ボルト２に挿通する両端部が電柱寄りに位置するため、ボルト長さを短くすることができ、ボルト端の突出度を押えられる利点も有している。
【００２０】
なお、Ｕ字状ボルト２のねじ溝部１０と反対側の自由端は折り曲げ部１３とされ、押え金具３の抜け止めとしている。端部に抜け止め用キャップ１４を嵌着又は螺着しておけばより確実に抜け落ちを防止できる。１５は切欠き孔１１の開口端に形成した折曲部で、締付ナット４の締付時におけるナットの逃げを防止している。
【００２１】
また、Ｕ字状ボルト２の折り曲げ部１３よりやや中央部寄りの軸部おいて、周壁に打ち出し突部１６を形成している。この打ち出し突部１６は、押え金具３の端部に形成されるＵ字状ボルトの挿通孔である長孔９と交叉する方向に形成されている。したがって、長孔９において押え金具３をＵ字状ボルト２に挿通する場合、打ち出し突部１６の突出方向と長孔９の長手方向を一致させて折り曲げ部１３の位置まで挿通することとなる。
【００２２】
図１に示す通り、大径の電線保護用パイプ１２を挟持する場合は折り曲げ部１３が押え金具３の当り部となり、小径の保護用パイプ１２の場合は図７に示す通り打ち出し突部１６が当り部となり、いずれの場合もパイプの挟持状態が安定する。また押え金具３はＵ字状ボルト２に沿って移動可能であるから、パイプ径が変っても締付ナット４の締め付け状態のみの調節によって同一の支持金具で挟持可能である。
【００２３】
さらにまた、本発明においては、Ｕ字状ボルト２をベース金具１と組み合わせた場合において、Ｕ字状ボルト２が水平状態、すなわちベース金具１に対し略直角状態で自立可能に保持される構成を採用している。
【００２４】
すなわち、前記ベース金具１の透孔８をＵ字状ボルト２の挿通部８ａと、この挿通部８ａに連続して形成されたＵ字状ボルト２の直径よりも小さい小径部８ｂとによって構成し、一方、Ｕ字状ボルト２の中央部において、Ｕ字状ボルト２をベース金具１に対して略直角状態で小径部８ｂに嵌入可能とする切り欠き面１７を形成している。この切り欠き面１７及びこの切り欠き面１７が当接する小径部８ｂの側壁イは略垂直状態に形成するが、小径部８ｂの他方側壁ロは小径部８ｂをテーパー状とする傾斜状態に形成しておけば、小径部８ｂおよびＵ字状ボルト２に形成する切り欠き面１７の寸法精度にばらつきがあっても、がたつきのない保持状態が得られる。したがって溶融亜鉛めっきを施す場合に、仮にめっきムラによる寸法精度のばらつきを考慮して小径部８ｂのサイズをやや大きい目に形成してもがたつきのない保持状態が得られる。
【００２５】
このような構成を採用することによって、Ｕ字状ボルト２をベース金具１の小径部８ｂに嵌入した場合、Ｕ字状ボルト２は水平状態、すなわちベース金具１に対し略直角状態で自立可能に保持されるので、作業者が保護用パイプを保持する必要性がなく、保護用パイプの取付時における作業性を向上することができる。
【００２６】
なお、上記は実施態様の一例を示すもので、本発明の技術的思想の範囲内において種々の態様を採用し得ることはいうまでもない。Ｕ字状ボルト２の中央部に形成する切り欠き面１７の形状は略凹状としているがこれに限るものではない。また、Ｕ字状ボルト２の内壁面に形成しているが、外壁面でも良く、この場合、ベース金具１に形成する小径部８ｂの側壁イとロは逆に形成することとなる。
【図面の簡単な説明】
【００２７】
【図１】この発明に係る支持金具の一実施例を示す平面図、
【図２】同側面図、
【図３】同支持金具を構成する押え金具の平面図、
【図４】同側面図、
【図５】同支持金具を構成するベース金具の正面図、
【図６】同支持金具を構成するＵ字状ボルトの中央部の平面図
【図７】同支持金具の部分図、
【図８】低圧線の引き下ろし状態とともに従来の支持金具の使用例を示す概略図、
【図９】従来の支持金具によるパイプ取付状態を示す平面図、
【図１０】従来の支持金具の他例を示す平面図。
【符号の説明】
【００２８】
１…ベース金具
１ａ…開口端部
１ｂ…頂部
２…Ｕ字状ボルト
３…押え金具
４…締付ナット
５…電柱
７…取付溝
８…透孔
８ａ…挿通部
８ｂ…小径部
イ…側壁
ロ…他方側壁
９…長孔
１０…ねじ溝部
１１…切欠き孔
１２…電線保護用パイプ
１３…折り曲げ部
１４…ぬけ止め用キャップ
１６…打ち出し突部
１７…切り欠き面
【図１】
2006246606.tif 000003
【図２】
2006246606.tif 000004
【図３】
2006246606.tif 000005
【図４】
2006246606.tif 000006
【図５】
2006246606.tif 000007
【図６】
2006246606.tif 000008
【図７】
2006246606.tif 000009
【図８】
2006246606.tif 000010
【図９】
2006246606.tif 000011
【図１０】
2006246606.tif 000012